(57)【要約】【課題】静止画像および動画像の一部分を所定の再生時間ごとに自動的に再生する機能であるスライドショーの使い勝手を良くする。【解決手段】記録・再生部１０３は、メイン制御部１０９が選択した動画像の始めの部分（例えば、１枚の静止画像、再生時間分の動画像など）の再生を開始する。記録・再生部１０３が動画像の一部分の再生を開始してから再生時間Ｔ（例えば、３秒）が経過するまでの間に再生ボタンＢ４が押された場合、記録・再生部１０３は、メイン制御部１０９が選択した動画像の残りの部分も再生する。これにより、スライドショー中であっても、再生ボタンＢ４を押すだけで所望の動画像を最後まで視聴することができるようになる。【選択図】　　　図１
2004134943.tif 000002
【特許請求の範囲】
【請求項１】
静止画像および動画像の一部分を所定の再生時間ごとに自動的に再生する機能を有する画像処理装置であって、
前記動画像の一部分を再生しているときに前記動画像の再生が指示された場合は、前記動画像の残りの部分も再生することを特徴とする画像処理装置。
【請求項２】
前記機能は、１つの記憶媒体内にある静止画像および動画像を対象とすることを特徴とする請求項１に記載の画像処理装置。
【請求項３】
前記機能は、１つのグループ内にある静止画像および動画像を対象とすることを特徴とする請求項１に記載の画像処理装置。
【請求項４】
前記画像処理装置は、撮像装置であることを特徴とする請求項１〜３の何れかに記載の画像処理装置。
【請求項５】
静止画像および動画像の一部分を所定の再生時間ごとに自動的に再生する工程と、
前記動画像の一部分を再生しているときに前記動画像の再生が指示された場合は、前記動画像の残りの部分も再生する工程とを有することを特徴とする画像処理方法。
【請求項６】
静止画像および動画像の一部分を所定の再生時間ごとに自動的に再生する工程と、
前記動画像の一部分を再生しているときに前記動画像の再生が指示された場合は、前記動画像の残りの部分も再生する工程とを有することを特徴とするプログラム。
【請求項７】
静止画像および動画像の一部分を所定の再生時間ごとに自動的に再生する機能を有する画像処理装置であって、
前記動画像の一部分を再生しているときに前記動画像の再生が指示された場合は、前記動画像を最初から再生することを特徴とする画像処理装置。
【請求項８】
前記機能は、１つの記憶媒体内にある静止画像および動画像を対象とすることを特徴とする請求項７に記載の画像処理装置。
【請求項９】
前記機能は、１つのグループ内にある静止画像および動画像を対象とすることを特徴とする請求項７に記載の画像処理装置。
【請求項１０】
前記画像処理装置は、撮像装置であることを特徴とする請求項７〜９の何れかに記載の画像処理装置。
【請求項１１】
静止画像および動画像の一部分を所定の再生時間ごとに自動的に再生する工程と、
前記動画像の一部分を再生しているときに前記動画像の再生が指示された場合は、前記動画像を最初から再生する工程とを有することを特徴とする画像処理方法。
【請求項１２】
静止画像および動画像の一部分を所定の再生時間ごとに自動的に再生する工程と、
前記動画像の一部分を再生しているときに前記動画像の再生が指示された場合は、前記動画像を最初から再生する工程とを有することを特徴とするプログラム。
【発明の詳細な説明】
【０００１】
【発明の属する技術分野】
本発明は、静止画像および動画像の再生が可能な画像処理装置などに関するものである。
【０００２】
【従来の技術】
近年のデジタルカメラには、スライドショー（またはオートプレイ）と呼ばれる機能がついている。この機能は、メモリカード内の静止画像および動画像を所定の再生時間ごとに自動的に再生する機能である。
【０００３】
【発明が解決しようとする課題】
しかしながら、これまでのデジタルカメラのスライドショーは、再生時間が決まっていたため、動画像の一部しか再生していなかった。そのため、スライドショー中に所望の動画像を最後まで視聴したい場合があっても、それができなかった。
【０００４】
本発明は、このような状況にかんがみてなされたものであり、静止画像および動画像の一部分を所定の再生時間ごとに自動的に再生する機能であるスライドショーにおいて、動画像を最後まで再生するか否かを選択できるようにし、スライドショーの使い勝手を良くすることを目的とする。
【０００５】
【課題を解決するための手段】
本発明における画像処理装置は、静止画像および動画像の一部分を所定の再生時間ごとに自動的に再生する機能を有する画像処理装置であって、前記動画像の一部分を再生しているときに前記動画像の再生が指示された場合は、前記動画像の残りの部分も再生することを特徴とする。
【０００６】
本発明における画像処理方法は、静止画像および動画像の一部分を所定の再生時間ごとに自動的に再生する工程と、前記動画像の一部分を再生しているときに前記動画像の再生が指示された場合は、前記動画像の残りの部分も再生する工程とを有することを特徴とする。
【０００７】
本発明におけるプログラムは、静止画像および動画像の一部分を所定の再生時間ごとに自動的に再生する工程と、前記動画像の一部分を再生しているときに前記動画像の再生が指示された場合は、前記動画像の残りの部分も再生する工程とを有することを特徴とする。
【０００８】
本発明における他の画像処理装置は、静止画像および動画像の一部分を所定の再生時間ごとに自動的に再生する機能を有する画像処理装置であって、前記動画像の一部分を再生しているときにその動画像の再生が指示された場合は、その動画像を最初から再生することを特徴とする。
【０００９】
本発明における他の画像処理方法は、静止画像および動画像の一部分を所定の再生時間ごとに自動的に再生する工程と、前記動画像の一部分を再生しているときにその動画像の再生が指示された場合は、その動画像を最初から再生する工程とを有することを特徴とする。
【００１０】
本発明における他のプログラムは、静止画像および動画像の一部分を所定の再生時間ごとに自動的に再生する工程と、前記動画像の一部分を再生しているときにその動画像の再生が指示された場合は、その動画像を最初から再生する工程とを有することを特徴とする。
【００１１】
【発明の実施の形態】
以下、図１〜図４を参照し、本発明における実施の形態を説明する。
【００１２】
図１は、本実施の形態における撮像装置１０の主要な構成を示す図である。本実施の形態における撮像装置１０は、１つの記憶媒体または１つのグループ（例えば、フォルダ）内の静止画像および動画像の一部を所定の再生時間ごとに自動的に再生する機能であるスライドショーを有する装置である。また、本実施の形態における撮像装置１０は、デジタルカメラ、デジタルビデオカメラなどの装置である。
【００１３】
図１において、撮像部１０１は、イメージセンサなどを用いて静止画像または動画像を撮影するユニットである。画像処理部１０２は、撮像部１０１が撮影した静止画像または動画像の画質などを調整するユニットである。
【００１４】
記録・再生部１０３は、画像処理部１０２から得た静止画像または動画像をリムーバブルメモリ１０４に記録するユニットであり、メイン制御部１０９が選択した静止画像または動画像をリムーバブルメモリ１０４から再生するユニットである。
【００１５】
リムーバブルメモリ１０４は、着脱可能な記憶媒体であり、動画像および静止画像を記憶する記憶媒体である。リムーバブルメモリ１０４が記憶するフォルダおよびファイルの一例を図４に示す。図４において、「ＤＣＩＭ」、「１０１×××××」および「１０２×××××」はフォルダである。「ＩＭＧ＿０１０１．ＪＰＧ」、「ＩＭＧ＿０１０２．ＪＰＧ」、「ＩＭＧ＿０１０５．ＪＰＧ」〜「ＩＭＧ＿０１０７．ＪＰＧ」、「ＩＭＧ＿０１１０．ＪＰＧ」、「ＩＭＧ＿０２０２．ＪＰＧ」〜「ＩＭＧ＿０２０５．ＪＰＧ」および「ＩＭＧ＿０２０７．ＪＰＧ」〜「ＩＭＧ＿０２１０．ＪＰＧ」は、静止画像である。「ＭＶＩ＿０１０３．ＡＶＩ」、「ＭＶＩ＿０１０８．ＡＶＩ」、「ＭＶＩ＿０２０１．ＡＶＩ」および「ＭＶＩ＿０２０６．ＡＶＩ」は、動画像である。「ＭＶＩ＿０１０３．ＴＨＭ」、「ＭＶＩ＿０１０８．ＴＨＭ」、「ＭＶＩ＿０２０１．ＴＨＭ」および「ＭＶＩ＿０２０６．ＴＨＭ」は、「ＭＶＩ＿０１０３．ＡＶＩ」、「ＭＶＩ＿０１０８．ＡＶＩ」、「ＭＶＩ＿０２０１．ＡＶＩ」および「ＭＶＩ＿０２０６．ＡＶＩ」に対応するサムネイル画像である。
【００１６】
合成部１０５は、記録・再生部１０３が再生した静止画像または動画像にその静止画像または動画像の補助情報を合成（あるいはスーパーインポーズ）するユニットである。
【００１７】
表示部１０６は、合成部１０６から得た静止画像または動画像を表示するユニットである。アナログインターフェース部１０７は、合成部１０６から得た静止画像または動画像をアナログビデオ信号に変換し、そのアナログビデオ信号を外部に出力するユニットである。
【００１８】
ユーザインターフェース部１０８は、ユーザからの指示をメイン制御部１０９に通知するユニットである。ユーザインターフェース部１０８は、シャッターボタンＢ１、動画／静止画ボタンＢ２、スライドショーボタンＢ３、再生ボタンＢ４、停止ボタンＢ５、再生時間ボタンＢ６などを有する。シャッターボタンＢ１は、静止画像または動画像の撮像を指示するボタンである。動画／静止画ボタンＢ２は、静止画像を撮像する静止画撮像モードまたは動画像を撮像する動画撮像モードを選択するボタンである。スライドショーボタンＢ３は、本実施の形態におけるスライドショーの開始または停止を指示するボタンである。再生ボタンＢ４は、静止画像または動画像の再生を指示するボタンである。停止ボタンＢ５は、静止画像または動画像の再生の停止を指示するボタンである。再生時間変更ボタンＢ６は、静止画像または動画像の再生時間Ｔを３秒、５秒、７秒などに変更するボタンである。
【００１９】
メイン制御部１０９は、撮像装置１０の様々な機能を制御するユニットである。本実施の形態におけるスライドショーもメイン制御部１０９によって制御される機能である。なお、本実施の形態におけるメイン制御部１０９は、本実施の形態におけるスライドショーをプログラムメモリ１１０が保持するプログラムに従って制御するものとする。
【００２０】
表示装置２０は、アナログインターフェース部１０７と接続可能な装置であり、アナログインターフェース部１０７から出力されたアナログビデオ信号を表示する装置である。
【００２１】
図２および図３は、本実施の形態におけるスライドショーの処理手順を示すフローチャートである。
【００２２】
ステップＳ２０１：メイン制御部１０９は、所定の選択条件（例えば、ファイル名の順番）に従い、リムーバブルメモリ１０４内（または、ユーザが指定したフォルダ内）からまだ再生していない静止画像または動画像を選択する。
【００２３】
ステップＳ２０２：メイン制御部１０９が動画像を選択した場合はステップＳ３０１に進み、メイン制御部１０９が静止画像を選択した場合はステップＳ２０３に進む。
【００２４】
ステップＳ２０３：記録・再生部１０３は、メイン制御部１０９が選択した静止画像の再生を開始する。合成部１０５は、記録・再生部１０３が再生した静止画像にその静止画像の補助情報（ファイル名、画像サイズ、再生済みの静止画像および動画像の総数、リムーバブルメモリ１０４内にある静止画像および動画像の総数、静止画像であること示すマークなどを含む）を合成（あるいはスーパーインポーズ）する。表示部１０６は、合成部１０５から得た静止画像を表示する。アナログインターフェース部１０７は、合成部１０５から得た静止画像をアナログビデオ信号に変換し、そのアナログビデオ信号を外部に出力する。これにより、表示部１０６および表示装置２０の何れでも、静止画像の視聴が可能になる。
【００２５】
ステップＳ２０４：メイン制御部１０９は、静止画像の再生が開始されてから再生時間Ｔ（３秒、５秒、７秒など）が経過したか否かを判定する。再生時間Ｔが経過した場合はステップＳ２０５に進む。
【００２６】
ステップＳ２０５：記録・再生部１０３は、メイン制御部１０９が選択した静止画像の再生を終了する。
【００２７】
ステップＳ２０６：メイン制御部１０９は、リムーバブルメモリ１０４内（または、ユーザが指定したフォルダ内）にまだ再生していない静止画像または動画像があるか否かを判定する。まだ再生していない静止画像または動画像がある場合はステップＳ２０１に進む。
【００２８】
ステップＳ３０１：記録・再生部１０３は、メイン制御部１０９が選択した動画像の始めの部分（例えば、１枚の静止画像、再生時間分の動画像など）の再生を開始する。合成部１０５は、記録・再生部１０３が再生した動画像の始めの部分にその動画像の補助情報（ファイル名、画像サイズ、再生済みの静止画像および動画像の総数、リムーバブルメモリ１０４内にある静止画像および動画像の総数、動画像であること示すマークなどを含む）を合成（あるいはスーパーインポーズ）する。表示部１０６は、合成部１０５から得た動画像の始めの部分を表示する。アナログインターフェース部１０７は、合成部１０５から得た動画像の始めの部分をアナログビデオ信号に変換し、そのアナログビデオ信号を外部に出力する。これにより、表示部１０６および表示装置２０の何れでも、動画像の始めの部分の視聴が可能になる。なお、ステップＳ３０１では、動画像の始めの部分を再生するようにしたが、それ以外の部分を再生するようにすることも可能である。
【００２９】
ステップＳ３０２：メイン制御部１０９は、動画像の一部分の再生が開始されてから再生時間Ｔ（３秒、５秒、７秒など）が経過したか否かを判定する。再生時間Ｔが経過した場合はステップＳ３０３に進み、再生時間Ｔが経過していない場合はステップＳ３０４に進む。
【００３０】
ステップＳ３０３：記録・再生部１０３は、メイン制御部１０９が選択した動画像の一部分の再生を終了する。
【００３１】
ステップＳ３０４：メイン制御部１０９は、記録・再生部１０３が動画像の一部分の再生を開始してから再生時間Ｔが経過するまでの間に再生ボタンＢ４が押されたか否かを判定する。再生ボタンＢ４が押された場合はステップＳ３０５に進み、再生ボタンＢ４が押されていない場合はステップＳ３０２に進む。
【００３２】
ステップＳ３０５：記録・再生部１０３は、メイン制御部１０９が選択した動画像の残りの部分も再生する。合成部１０５は、記録・再生部１０３が再生した動画像の残りの部分にその動画像の補助情報（ファイル名、画像サイズ、再生済みの静止画像および動画像の総数、リムーバブルメモリ１０４内にある静止画像および動画像の総数、動画像であること示すマークなどを含む）を合成（あるいはスーパーインポーズ）する。表示部１０６は、合成部１０５から得た動画像の残りの部分を表示する。アナログインターフェース部１０７は、合成部１０５から得た動画像の残りの部分をアナログビデオ信号に変換し、そのアナログビデオ信号を外部に出力する。これにより、スライドショー中であっても、再生ボタンＢ４を押すだけで所望の動画像を最後まで視聴することができるようになる。なお、ステップＳ３０５では、動画像の残りの部分を再生するようにしたが、動画像を最初から再生するようにすることも可能である。
【００３３】
ステップＳ３０６：メイン制御部１０９は、メイン制御部１０９が選択した動画像が最後まで再生された否かを判定する。最後まで再生された場合はステップＳ３０９に進み、最後まで再生されていない場合はステップＳ３０７に進む。
【００３４】
ステップＳ３０７：メイン制御部１０９は、メイン制御部１０９が選択した動画像が最後まで再生されるまでの間に停止ボタンＢ５が押されたか否かを判定する。停止ボタンＢ５が押された場合はステップＳ３０８に進む。
【００３５】
ステップＳ３０８：記録・再生部１０３は、メイン制御部１０９が選択した動画像の残りの部分の再生を終了する。
【００３６】
ステップＳ３０９：メイン制御部１０９は、リムーバブルメモリ１０４内（または、ユーザが指定したフォルダ内）にまだ表示していない静止画像または動画像があるか否かを判定する。まだ表示していない静止画像または動画像がある場合はステップＳ２０１に進む。
【００３７】
このように、本実施の形態における撮像装置１０によれば、スライドショー中であっても、再生ボタンＢ４を押すだけで所望の動画像を最後まで再生するか否かを選択することができるので、スライドショーの使い勝手を良くすることができる。
【００３８】
また、本実施の形態における撮像装置１０によれば、所望の動画像を最後まで再生している場合であっても、停止ボタンＢ５を押すだけで次の静止画像または動画像を視聴することができるので、スライドショーの使い勝手を良くすることができる。
【００３９】
なお、本発明は、上記の実施の形態に限定されるものではなく、様々な形態で実施することができる。例えば、本発明は撮像装置に限らず、ビデオレコーダなどの画像処理装置にも適用可能である。また、コンピュータで実行可能なプログラムにも適用可能である。
【００４０】
【発明の効果】
本発明によれば、静止画像および動画像の一部分を所定の再生時間ごとに自動的に再生する機能であるスライドショー中であっても、動画像を最後まで再生するか否かを選択することができるので、スライドショーの使い勝手を良くすることができる。
【図面の簡単な説明】
【図１】本実施の形態における撮像装置１０の主要な構成を説明する図である。
【図２】本実施の形態におけるスライドショーの処理手順の一部分を示すフローチャートである。
【図３】本実施の形態におけるスライドショーの処理手順の一部分を示すフローチャートである。
【図４】リムーバブルメモリ１０４が記憶するフォルダおよびファイルの一例を示す図である。
【符号の説明】
１０　撮像装置（画像処理装置）
２０　表示装置
１０１　撮像部
１０２　画像処理部
１０３　記録・再生部
１０４　リムーバブルメモリ
１０５　合成部
１０６　表示部
１０７　アナログインターフェース部
１０８　ユーザインターフェース部
１０９　メイン制御部
１１０　プログラムメモリ
Ｂ１　シャッターボタン
Ｂ２　動画／静止画ボタン
Ｂ３　スライドショーボタン
Ｂ４　再生ボタン
Ｂ５　停止ボタン
Ｂ６　再生時間変更ボタン
【図１】
2004134943.tif 000003
【図２】
2004134943.tif 000004
【図３】
2004134943.tif 000005
【図４】
2004134943.tif 000006